(57)【要約】【課題】手摺部材の取付が確実で、施工が容易で、握り易い手摺を提供する。【解決手段】芯材とこの芯材に被せられる被覆材と芯材を支持する支持材からなり、芯材は中空で外壁面で囲繞されており、この芯材に被せられる被覆材は下面が開口されて開口部となされ、支持体はその支持部がこのこの開口部に挿入されて芯材と固着されていることを特徴とするものであり、支持体の支持部が開口部内に挿入されているので、露出されないので、手摺を握ったときに邪魔になりにくく、外観上も好適である。【選択図】        図２
2005256274.tif 000002
【特許請求の範囲】
【請求項１】
芯材とこの芯材に被せられる被覆材と芯材を支持する支持材からなり、芯材は中空で外壁面で囲繞されており、この芯材に被せられる被覆材は下面が開口されて開口部となされ、支持体はその支持部がこのこの開口部に挿入されて芯材と固着されていることを特徴とする手摺。
【請求項２】
芯材の下面に平坦面が形成され、この平坦面の両縁部に被覆材の開口縁部と係合する係合凸部が設けられ、被覆材の開口縁部には鈎型の係合鈎部が設けられ、係合凸部と係合鈎部が係合されて芯材に被覆材が被せられたことを特徴とする請求項１記載の手摺。
【発明の詳細な説明】
【技術分野】
【０００１】
本発明は、階段や廊下などの壁面に設置される手摺において、手摺部材の任意の位置に支持体が取着されるようになされた手摺に関する。
【背景技術】
【０００２】
【特許文献１】実公昭５４−７８５３号公報
【特許文献２】特開平１１−１０７４７８号公報  従来、壁面の任意の位置に支持体が取着され、この支持体に手摺部材が取着されてなる手摺として、実公昭５４−７８５３号公報に、長手方向に開口部が形成されると共に開口縁に沿い内方に略直角に折り返された挟着縁が並列された筒状の手摺材と、該手摺材を壁面等に適宜間隔をおいて取着するための支持体とからなり、支持体は、端部に台座が設けられ他端に頭部が設けられ、該頭部に凹部が設けられた取着具と、手摺部材の開口部よりも広幅となされた水平板状の受け部の中央に上記開口部の幅よりわずかに挟幅となされた係止用突出部が受け部と略垂直に形成されて凸状となされ、その裏面に脚部が形成された受け具と、断面コ型の固定具とからなり、取着具の台座が壁面に螺着され、取着具の凹部に受け具の脚部が嵌合されて頭部と軸着され、手摺材の開口部が受け具の係止用突出部に嵌合されて該突出部が手摺材の挟着縁にて挟着されると共に、手摺材が受け具の受け部に支持され、受け具の係止用突出部と手摺材の挟着縁が固定具により挟着され、受け具と固定具とが螺着されてなる階段手摺が提案されている。
【０００３】
又、本出願人は、特開平１１−１０７４７８号公報に長手方向に開口部が形成されると共にこの開口部に内方に向けて広くなるように傾斜された挟着壁が並設され、この挟着壁に当接面が形成され、この相対する当接面の縁部間に形成された第２の開口部から内方に向けて広げられた中空部とからなる筒状の手摺部材と、この手摺部材を壁面などに適宜間隔をおいて取着するための支持体と、両端に雌螺子が形成された摺動貫入体からなり、支持体は端部に台座が設けられ、他端に摺動取付け部が設けられ、この摺動取付け部の両端の摺動貫入体に形成された雌螺子位置に対応する螺子孔が穿設され、摺動貫入体は前記手摺部材の中空部に貫入され、手摺部材の第２の開口部の縁部を挟んで、摺動取付け部に螺着され、手摺部材が支持体に取着されたことを特徴とする手摺を提案している。
【発明の開示】
【発明が解決しようとする課題】
【０００４】
しかしながら上記の如き実公昭５４−７８５３号公報に提案されている手摺においては、手摺材の挟着縁が受け具の係止用突出部と固定具により挟着されるのみで、水平方向にガタツキが出易いという問題があった。又、手摺材の下部に長手方向の全長に亘って開口部が設けられているので、手摺を握ったとき指先が開口部にかかり、握りにくいという問題があった。
【０００５】
又、特開平１１−１０７４７８号公報に提案した手摺においては、手摺材の下部に長手方向の全長に亘って開口部が設けられているので、手摺を握ったとき指先が開口部にかかり、握りにくいという問題があった。
【０００６】
そこで本発明者は従来の欠点に鑑み鋭意研究の結果、手摺部材の取付が確実で、施工が容易で、握り易い手摺を提供するものである。
【課題を解決するための手段】
【０００７】
本発明請求項１記載の手摺は、芯材とこの芯材に被せられる被覆材と芯材を支持する支持材からなり、芯材は中空で外壁面で囲繞されており、この芯材に被せられる被覆材は下面が開口されて開口部となされ、支持体はその支持部がこのこの開口部に挿入されて芯材と固着されていることを特徴とするものであり、支持体の支持部が開口部内に挿入されているので、露出されないので、手摺を握ったときに邪魔になりにくい。
【０００８】
本発明請求項２記載の手摺は、芯材の下面に平坦面が形成され、この平坦面の両縁部に被覆材の開口縁部と係合する係合凸部が設けられ、被覆材の開口縁部には鈎型の係合鈎部が設けられ、係合凸部と係合鈎部が係合されて芯材に被覆材が被せられたことを特徴とする請求項１記載のものであり、支持部に芯材を取り付けた後に被覆材を被せることができる。
【発明の効果】
【０００９】
上述の如く、本発明請求項１記載の手摺は、芯材とこの芯材に被せられる被覆材と芯材を支持する支持材からなり、芯材は中空で外壁面で囲繞されており、この芯材に被せられる被覆材は下面が開口されて開口部となされ、支持体はその支持部がこのこの開口部に挿入されて芯材と固着されていることを特徴とするものであり、支持体の支持部が開口部内に挿入されているので、露出されないので、手摺を握ったときに邪魔になりにくく、外観上も好適である。
【００１０】
又、本発明請求項２記載の手摺は、芯材の下面に平坦面が形成され、この平坦面の両縁部に被覆材の開口縁部と係合する係合部が設けられ、被覆材の開口縁部には鈎型の係合鈎部が設けられ、係合部と係合鈎部が係合されて芯材に被覆材が被せられたことを特徴とする請求項１記載のものであり、支持部に芯材を取り付けた後に被覆材を被せることができるので、施工現場の状況に応じて芯材を曲げてから被覆材を被せるなどができ、施工性に優れる。
【発明を実施するための最良の形態】
【００１１】
以下、図面を参照しながら本発明に付いて説明する。
図１は本発明手摺の実施形態の一例を示す正面図であり、図２は図１の要部の断面図である。図に於いて、１は手摺部材であり、芯材１１の外面に全長に亘って合成樹脂製の被覆材１２が被せられている。手摺部材１の下面には全長に亘って開口部１３が形成されている。芯材１１は中空の円筒形状で下面に平坦面１１１が形成され、この平坦面１１１の両縁部に一対の溝が形成されて係合部１１２となされている。この芯材１１の表面に被せられる被覆材１２は下面に開口部が設けられこの開口部の縁部が上方に折曲されて係合鈎部１２１が係止されている。
【００１２】
２は支持体であり、アーム２１の一端が下方に折曲され、基部２２となされている。基部２２にはボルト孔が設けられ壁面にボルトで取り付けられている。アーム２１の上端は左右に延設されて正面視Ｔ字型の支持部２３となされている。この支持部２３の側面の幅は前記被覆材１２の開口部の幅に適合する幅となされ、支持部２３に被覆材１２が被せられた芯材１１が固着されたとき支持部２３が日風材の縁部に隠蔽されるようになされている。支持体２はアルミ合金のダイカストで製作されれば高強度で耐久性に優れ好適であるが、合成樹脂など適宜材料から作製されればよい。
【００１３】
階段や廊下など手摺の取付予定場所の壁面の下地間柱の位置を確認し、この位置に支持体２の基部２２を適宜間隔で取着し、この支持体２の支持部２３上に芯材１１が載置され、支持部２３を貫通するねじで芯材１１が固着される。芯材１１には被覆材１２が被せられ、芯材１１の係合部１１２と被覆材１２の係合鈎部１２１が係合される。被覆材１２は、手摺を握ったときに滑りにくく、耐久性に優れた軟質の合成樹脂などから一般には作製される。
【００１４】
支持体２はこの例では壁面に取り付けられているが、これに限るものではなく、支柱の上端に設けられて、適宜間隔で地表に配設された支柱上端間に亘って手摺材が設けられるようになされてもよいし、既設の階段手摺の支柱間の縦格子に支持体２が取り付けられ、既設のてすりの下に新たに手摺が設けられるようにしてもよい。
【図面の簡単な説明】
【００１５】
【図１】本発明手摺の実施形態の一例を示す正面図である。
【図２】図１の要部の断面図である。
【符号の説明】
【００１６】
１    手摺部材
１１  芯材
１１１  平坦面
１１２  係合部
１２  被覆材
１２１  係合鈎部
２    支持体
２１  アーム
２２  基部
２３  支持部
【図１】
2005256274.tif 000003
【図２】
2005256274.tif 000004